(57)【要約】      （修正有）【課題】冷却ファンを備えた電子機器において、落下の衝撃による冷却ファンへの影響を低減させた電子機器を提供する。【解決手段】電子機器（例えばプロジェクター）は、冷却ファン５と、冷却ファン５を固定する固定枠（第１固定枠６）と、第１固定枠６を固定する外装筐体と、を備えた電子機器であって、第１固定枠６は、冷却ファン５を固定する板状部６１を有し、板状部６１は、外装筐体に一端部が固定され、他端部６１７は解放されると共に、冷却ファン５の回転中心軸の延出方向に対して略垂直となるように設置され、電子機器に衝撃が加えられた際、回転中心軸の略延出方向に撓む可撓性を有している。【選択図】図５
2016095356.tif 000002
【特許請求の範囲】
【請求項１】
冷却ファンと、当該冷却ファンを固定する固定枠と、当該固定枠を固定する外装筐体と、を備えた電子機器であって、
前記固定枠は、前記冷却ファンを固定する板状部を有し、
前記板状部は、前記外装筐体に一端部が固定され、他端部は解放されると共に、前記冷却ファンの回転中心軸の延出方向に対して略垂直となるように設置され、当該電子機器に衝撃が加えられた際、前記回転中心軸の略延出方向に撓む可撓性を有していることを特徴とする電子機器。
【請求項２】
請求項１に記載の電子機器であって、
前記冷却ファンは、前記回転中心軸と略平行な方向に挿通される第１ネジにより前記板状部に固定されることを特徴とする電子機器。
【請求項３】
請求項１または請求項２に記載の電子機器であって、
前記板状部は、前記一端部から延出する延出部を有し、
前記延出部には、前記一端部に沿うように、前記外装筐体にネジによる固定を行うための複数の孔部を備えていることを特徴とする電子機器。
【請求項４】
請求項１〜請求項３のいずれか一項に記載の電子機器であって、
前記固定枠は、前記冷却ファンが吸気した空気を流動するダクトの一部を構成していることを特徴とする電子機器。
【請求項５】
請求項１〜請求項４のいずれか一項に記載の電子機器であって、
光を射出する光源装置と、
前記光源装置から射出された前記光を画像情報に応じて変調する光変調装置と、
前記光変調装置で変調された変調光を投写する投写レンズと、
を備えていることを特徴とする電子機器。
【発明の詳細な説明】
【技術分野】
【０００１】
本発明は、電子機器に関する。
【背景技術】
【０００２】
従来、電子機器は、内部で発熱する構成部品を冷却するための冷却用のファンを備えたものが知られている。電子機器として、例えば、光源から射出される光（射出光）を画像情報に応じて光変調装置で変調して投写するプロジェクターが知られている。
【０００３】
このようなプロジェクターにも冷却用のファンが備わっている。そして、プロジェクターは、光源や、光源からの射出光により温まった光変調装置等の光学部品に対して冷却用のファンを用いて冷却させる。冷却用のファンは、一般的に、外気を吸気して、吸気した外気を、ダクトを介して流動させ、吐出することで外気を光学部品に吹き付け、放熱させて冷却させる。また、冷却用のファンとして、筐体内部の温まった空気を筐体外部に排気させるファン等も併せて使用されている。
【０００４】
特許文献１に開示されるダクトファンユニットは、気流を通過させるダクトを一対の第１ダクト構成部材とファンで構成し、一方の第１ダクト構成部材だけにリブ状のガイドを設けてファンを装着する。そして、他方の第１ダクト構成部材には、組み合わせ時にファンを弾性的に押さえつける弾性突起を設ける。そして、両第１ダクト構成部材を係止片と係止穴による係止だけで固定し、内部にファンを挟み込み弾性突起で押さえ付ける。このような構成により、構造が簡単で、着脱時の作業が容易であり、かつ安価に製造可能なダクトファンユニットを提供するとしている。
【先行技術文献】
【特許文献】
【０００５】
【特許文献１】特開２００３−１６６４９７号公報
【発明の概要】
【発明が解決しようとする課題】
【０００６】
冷却用のファンを備えた電子機器（例えばプロジェクター）に対して、品質評価試験として落下試験を行った場合、特に、冷却ファンの吸気口が下向きとなる落下試験を行った場合、落下の衝撃により、製品の保証規格内において、冷却ファンが動作不良となる不具合が発生することがある。
従って、冷却ファンを備えた電子機器において、落下の衝撃による冷却ファンへの影響を低減させた電子機器が要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係る電子機器は、冷却ファンと、冷却ファンを固定する固定枠と、固定枠を固定する外装筐体と、を備えた電子機器であって、固定枠は、冷却ファンを固定する板状部を有し、板状部は、外装筐体に一端部が固定され、他端部は解放されると共に、冷却ファンの回転中心軸の延出方向に対して略垂直となるように設置され、電子機器に衝撃が加えられた際、回転中心軸の略延出方向に撓む可撓性を有していることを特徴とする。
【０００９】
このような電子機器によれば、冷却ファンを固定した板状部を、概ね片持ち梁の構造とすることができ、所定の落下方向（衝撃が加えられる方向）として板状部に対して略垂直方向となる落下方向で落下した場合、板状部が落下方向に撓むことにより、落下による冷却ファンへの衝撃を吸収させることができる。これにより、冷却ファンを備えた電子機器において、落下の衝撃による冷却ファンへの影響を低減させた電子機器を実現することができる。
【００１０】
［適用例２］上記適用例に係る電子機器において、冷却ファンは、回転中心軸と略平行な方向に挿通される第１ネジにより板状部に固定されることが好ましい。
【００１１】
このような電子機器によれば、冷却ファンが、回転中心軸と略平行な方向に挿通される第１ネジにより板状部に固定されることにより、落下衝撃が直接的に板状部へ伝搬されて板状部が衝撃で搖動することにより、落下の衝撃による冷却ファンへの影響を低減させることができる。
【００１２】
［適用例３］上記適用例に係る電子機器において、板状部は、一端部から延出する延出部を有し、延出部には、一端部に沿うように、外装筐体にネジによる固定を行うための複数の孔部を備えていることが好ましい。
【００１３】
このような電子機器によれば、延出部の複数の孔部が、板状部の一端部に沿うように設置されることにより、板状部が更に撓みやすくなり、落下の衝撃を吸収しやすくなることで、衝撃による冷却ファンへの影響を更に低減させることができる。
【００１４】
［適用例４］上記適用例に係る電子機器において、固定枠は、冷却ファンが吸気した空気を流動するダクトの一部を構成していることが好ましい。
【００１５】
このような電子機器によれば、固定枠がダクトの一部を構成することにより、冷却ファンが吸気した空気を流動して、発熱する部材を冷却させることができる。
【００１６】
［適用例５］上記適用例に係る電子機器において、光を射出する光源装置と、光源装置から射出された光を画像情報に応じて変調する光変調装置と、光変調装置で変調された変調光を投写する投写レンズと、を備えていることが好ましい。
【００１７】
このような電子機器によれば、光源装置により光を射出し、射出された光を画像情報に応じて光変調装置で変調し、変調された変調光を画像光として投写レンズで投写する、いわゆるプロジェクターに対して、上記適用例による効果を奏することができる。
【図面の簡単な説明】
【００１８】
【図１】実施形態に係るプロジェクターの光学ユニット及び冷却機構を示す模式図。
【図２】冷却機構が外装筐体に設置された斜視図。
【図３】冷却機構と外装筐体とを分離した斜視図。
【図４】冷却機構の分解斜視図。
【図５】冷却機構の分解斜視図。
【図６】冷却機構を上下反転した状態の斜視図。
【図７】冷却機構の斜視図。
【発明を実施するための形態】
【００１９】
以下、実施形態を図面に基づいて説明する。
【００２０】
〔実施形態〕
本実施形態は、電子機器としてのプロジェクター１に本発明を適用したものである。
【００２１】
本実施形態のプロジェクター１は、光源装置３１から射出された射出光を、画像情報に応じて液晶パネル３５１（光変調装置）で変調し、変調光を画像光として投写レンズ３６から投写する装置である。
【００２２】
〔光学ユニット３、冷却機構４の構成と動作の概略〕
図１は、プロジェクター１の光学ユニット３および冷却機構４を模式的に示す図である。光学ユニット３は、制御部（図示省略）による制御に基づいて動作し、画像情報に応じて画像光を形成するものである。光学ユニット３は、図１に示すように、光源ランプ３１１およびリフレクター３１２を有する光源装置３１と、レンズアレイ３２１，３２２、偏光変換素子３２３、および重畳レンズ３２４を有する照明光学装置３２とを備えている。また、光学ユニット３は、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４とを備えている。
【００２３】
また、光学ユニット３は、光変調装置としての３つの液晶パネル３５１（赤色光（Ｒ光）用の液晶パネルを３５１Ｒ、緑色光（Ｇ光）用の液晶パネルを３５１Ｇ、青色光（Ｂ光）用の液晶パネルを３５１Ｂとする）、３つの入射側偏光板３５２、３つの射出側偏光板３５３、および色合成光学装置としてのクロスダイクロイックプリズム３５４を有する光学装置３５を備えている。また、光学ユニット３は、投写光学装置としての投写レンズ３６と、各光学装置を収容する光学部品用筐体３７とを備えている。
【００２４】
光学ユニット３は、上述した構成により、光源装置３１から射出されて照明光学装置３２を介した光束を、色分離光学装置３３でＲ光、Ｇ光、Ｂ光の３つの色光に分離する。また、分離された各色光は、各液晶パネル３５１で画像情報に応じてそれぞれ変調され、色光毎の変調光として形成される。色光毎の変調光は、クロスダイクロイックプリズム３５４に入射して画像光として合成され、投写レンズ３６を介してスクリーン（図示略）等に拡大投写される。なお、上述した各光学装置３１〜３６については、種々の一般的なプロジェクーの光学系として利用されているため、具体的な説明を省略する。
【００２５】
冷却機構４は、光学ユニット３で発熱する光学装置、または光学装置を構成する光学部品に対し、外装筐体２内部に外気を導入して冷却する機構である。図１に示すように、外装筐体２の側面には、外装筐体２内部に外気を導入する外気導入口２５が設置され、その内側には塵埃の侵入を防止するフィルター２６が設置されている。
【００２６】
冷却機構４は、冷却ファン５の駆動により、外気導入口２５およびフィルター２６を介して冷却ファン５に外気を吸気する。そして、吸気した外気は冷却ファン５により吐出される。吐出された外気は、ダクト（図１では図示省略）を介して、二点鎖線で示すように冷却を必要とする光学部品の近傍まで流動し、ダクトの吐出口から吐出される。この吐出された外気が、冷却を必要とする光学部品に吹き付けられて光学部品の熱を奪うことにより冷却する。本実施形態では、冷却機構４は、光学装置３５（特に、液晶パネル３５１、射出側偏光板３５３）、偏光変換素子３２３、および光源装置３１を冷却している。
【００２７】
また、冷却機構４は、図示省略するが、発熱する部品から熱を奪って温まった外装筐体２内部の空気を、排気用のファンを用いて外装筐体２の外部（プロジェクター１の外部）に排気する。この冷却機構４の一連の動作により、光学部品、回路ブロック、電源ブロック等を含め、プロジェクター１を構成する構成部の温度を適正に制御することができる。冷却機構４の構成に関しては後述する。
【００２８】
〔冷却機構４の構成と動作〕
図２は、冷却機構４が外装筐体２に設置された斜視図である。図３は、冷却機構４と外装筐体２とを分離した斜視図である。図２、図３を含む以降の図面では、説明の便宜上、ＸＹＺ直交座標系を用いる。ＸＹＺ直交座標系は、図示省略しているが投写レンズ３６の投写方向をＸ（＋）方向とし、Ｘ方向に直交し、外気導入口２５の方向をＹ（＋）方向とする。また、Ｘ方向およびＹ方向に直交し、かつ、プロジェクター１を机上に設置した姿勢での上方向をＺ（＋）方向とする。また、Ｘ（＋）方向を前方向（前側）、Ｘ（−）方向を後方向（後側）、Ｙ（＋）方向を右方向（右側）、Ｙ（−）方向を左方向（左側）、Ｚ（＋）方向を上方向（上側）、Ｚ（−）方向を下方向（下側）、として適宜使用する。
【００２９】
図２、図３では、プロジェクター１を構成する構成部の中で要部のみを示している。要部として、外装筐体２を構成する下ケース２１と、下ケース２１に固定される冷却機構４とを示している。なお、外装筐体２は、本実施形態では概六面体の偏平形状に形成されている。そして、外装筐体２は、下ケース２１の他、上ケース、フロントケース、リアケース（いずれも図示省略）等で構成されている。
【００３０】
図２、図３に示すように、下ケース２１の右前方向の側面には、冷却ファン５が外気を吸気する際の導入口となるスリット状の複数の孔を有する外気導入口２５が設置されている。この外気導入口２５は、図示省略する上ケースにも同様の領域に外気導入口２５が設置されている。また、外気導入口２５の内側（外装筐体２の内面側）には、外気導入口２５に相対する領域に、外気導入口２５から導入される外気に含まれる塵埃を取り除く着脱可能なフィルター２６が設置されている。
【００３１】
冷却機構４は、冷却ファン５の吸気口５２がフィルター２６に向き合うように、プロジェクター１（下ケース２１）の右前方向のコーナー部に設置される。冷却機構４は、冷却ファン５、冷却ファン５を固定する固定枠としての第１固定枠６、冷却ファン５の一部を覆い第１固定枠６に設置される第２固定枠７とで概ね構成されている。
【００３２】
冷却ファン５は、本実施形態では、いわゆるシロッコファンを用いている。シロッコファンは、回転軸方向から吸気した空気（外気）を、回転による遠心力方向に吐出するファンである。冷却ファン５は、略円柱形状の本体５１内部に羽根車等の駆動系（図示省略）が設置され、回転中心軸Ａの方向に略垂直となる本体５１の面には、外気を吸気する第１の吸気口５２が形成される。また、本実施形態の冷却ファン５は、この吸気口５２に相対する本体５１の反対側の面にも第２の吸気口５３（図５）が形成され、この吸気口５３からも外気を吸気する。第１の吸気口５２はメインの吸気口となり、第２の吸気口５３はサブの吸気口となる。吸気口５２は、フィルター２６に向かい合うように設置されている。また、本体５１には、吸気した外気を遠心力方向に吐出する吐出口５４（図３）が形成されている。
【００３３】
冷却ファン５は、駆動することにより、外気導入口２５およびフィルター２６を介し、吸気口５２から外気を吸気する。また、吸気口５３からも外気を吸気する。そして、吸気した外気を吐出口５４から吐出する。なお、図２、図３では、外気導入口２５と吸気口５２との間に位置するフィルター２６が図示省略されている。
【００３４】
第１固定枠６は、冷却ファン５を固定すると共に、冷却を必要とする光学部品に外気を流動するダクトの一部を構成している。なお、ダクトは、下ケース２１にも第１固定枠６のダクトに対応する位置にダクトの一部が形成されており、下ケース２１の所定の位置に第１固定枠６を設置することにより、外気が流動可能となるダクトが形成される構成となっている。また、第２固定枠７は、第１固定枠６の上部に位置し、冷却ファン５を覆うと共に、フィルター２６を介して吸気される外気を第１固定枠６と共に、第２の吸気口５３に流動するダクトを構成している。
【００３５】
図４、図５は、冷却機構４の分解斜視図である。詳細には、図４は、冷却機構４の右側を上方向から見た分解斜視図であり、図５は、図４の冷却機構４を反対方向から見た分解斜視図である。
【００３６】
〔冷却ファン５、第１固定枠６の構成〕
冷却ファン５は、本体５１の側面に、孔部５５１を有する固定部５５が２つ形成され、孔部５５１には冷却ファン５を固定する際に第１ネジＳＣ１が挿通される。
第１固定枠６は、冷却ファン５を固定する概ね板状に形成される板状部６１と、板状部６１の下方向となる一端部６１１の後方向に接続してダクト（ダクトの一部）を構成するダクト構成部６２とを有して形成されている。
【００３７】
板状部６１は、冷却ファン５のサブの吸気口５３の左方向に位置し、吸気口５３を一部露出させる切欠き部６１２を有している。板状部６１の下方向の端部となる一端部６１１には、左方向に延出する延出部６１３が２つ形成されている。２つの延出部６１３には、板状部６１を下ケース２１に固定するための孔部６１４がそれぞれ形成され、孔部６１４には固定する際、固定用の第２ネジＳＣ２が挿通される。なお、２つの孔部６１４は、一端部６１１の近傍で、一端部６１１に沿うように形成されている。
【００３８】
一端部６１１の前方向（切欠き部６１２の前方向）には、右方向に延出する壁部６１５が形成され、壁部６１５の後側面には、冷却ファン５を固定する固定部（後述する固定部６１９と同様）が形成されている。また、壁部６１５の前側面には、第２固定枠７を係止するための突起部６１６が形成されている。
【００３９】
板状部６１の上方向の端部で、一端部６１１に相対する他端部６１７には、右方向に延出して冷却ファン５の本体５１の上部を一部覆うカバー部６１８が形成されている。カバー部６１８の後方向には、冷却ファン５を固定する固定部６１９が右方向に突出して形成されている。なお、冷却ファン５は、冷却ファン５の２つの固定部５５を、板状部６１の２つの固定部６１９に右方向からそれぞれ当接させ、第１ネジＳＣ１により固定部６１９のネジ孔６１９ａに螺合させることで、板状部６１に固定される。
【００４０】
〔ダクト構成部６２の構成〕
図６は、冷却機構４を上下反転した状態の斜視図である。図４〜図６を参照して、ダクト構成部６２の構成と動作を説明する。ダクト構成部６２は、冷却ファン５の吐出口５４から吐出された外気を流動させるダクトを構成する部分である。ダクト構成部６２は、本実施形態では、冷却ファン５の吐出口５４から吐出された外気を、吐出口５４に接続する導入口６２０から流入させ、冷却を必要とする３カ所に流動させている。
【００４１】
ダクト構成部６２は、本実施形態では、液晶パネル３５１、射出側偏光板３５３をメインに冷却するためのダクトを構成する第１ダクト６２１と、偏光変換素子３２３を冷却するためのダクトを構成する第２ダクト６２２と、光源装置３１を冷却するためのダクトを構成する第３ダクト６２３とで構成されている。なお、ダクト構成部６２は、この３つのダクト６２１，６２２，６２３が結合して構成されている。言い換えると、各ダクト６２１，６２２，６２３は、複数の隔壁６２４により仕切られることにより構成されている。
【００４２】
第１ダクト６２１は、Ｇ光用の液晶パネル３５１Ｇ側に流動させるダクト６２１１と、Ｒ光用およびＢ光用の液晶パネル３５１Ｒ，３５２１Ｂ側に流動させるダクト６２１２との２つに分岐されている。分岐されたＧ光用のダクト６２１１の先端部には、複数の吐出口６２１１ａが形成されている。また、分岐されたＲ光用およびＢ光用のダクト６２１２には、根元部にＲ光用の２つの吐出口６２１２ａと、先端部にＢ光用の２つの吐出口６２１２ｂとが形成されている。
【００４３】
第２ダクト６２２は、先端部に吐出口６２２ａが形成されている。第３ダクト６２３は、先端部に段差をつけた２つの吐出口６２３ａが形成されている。
【００４４】
〔サブダクト構成部２２の概構成〕
下ケース２１の内面には、ダクト構成部６２に相対して構成されるサブダクト構成部２２（図３）が形成されている。サブダクト構成部２２は、第１ダクト６２１に対応する第１サブダクト２２１と、第２ダクト６２２に対応する第２サブダクト２２２と、第３ダクト６２３に対応する第３サブダクト２２３とで構成されている。
【００４５】
ダクト構成部６２（冷却機構４）が下ケース２１に設置されることにより、ダクト構成部６２とサブダクト構成部２２とが係合し、各ダクトが完成する。詳細には、第１ダクト６２１と第１サブダクト２２１とが係合し、第２ダクト６２２と第２サブダクト２２２とが係合し、第３ダクト６２３と第３サブダクト２２３とが係合することにより、各ダクトが完成する。
【００４６】
なお、ダクト構成部６２には、上面の一段窪んだ面に、第２固定枠７の後述するダクト部７１２（壁部７１２１）に対応して起立して形成される壁部６２６が形成されている。この壁部６２６と、壁部６２６に囲まれて右方向の端部に至る面部６２７とは、後述する第４ダクト７１の一部を構成する。
【００４７】
〔第２固定枠７の構成〕
図７は、冷却機構４の斜視図である。詳細には、図７は、冷却機構４の左側を上方向から見た斜視図である。図４〜図７を参照して、第２固定枠７の構成を説明する。
第２固定枠７は、上述したように、第１固定枠６の上部に位置し、冷却ファン５の上部を覆い、冷却ファン５の駆動によりフィルター２６を介して吸気される外気を第１固定枠６と共にサブの吸気口５３に流動するダクト構成部として構成されている。なお、第２固定枠７がダクト構成部として構成するダクトを第４ダクト７１とする。
【００４８】
第２固定枠７は、冷却ファン５の上部を覆うと共に、板状部６１の切欠き部６１２および壁部６１５の外周に沿った形状に形成されて冷却ファン５を覆うカバー部７１１が形成されている。カバー部７１１の左方向の下端部には、図７に示すように、左方向に延出して形成され、第２固定枠７を第１固定枠６に固定するための固定部７１１１が形成され、固定部７１１１には第２ネジＳＣ２を挿通する孔部７１１１ａが形成されている。また、カバー部７１１の前方向の外面には、第２固定枠７を第１固定枠６に係止するための係止部７１１２が形成されている。
【００４９】
第２固定枠７は、カバー部７１１の後方向に接続し、右方向を開口させて、フィルター２６を介して吸気した外気を流動させるダクト部７１２が形成されている。ダクト部７１２の左側の壁（左側面）を構成する壁部７１２１は、第２固定枠７を第１固定枠６に固定することにより、ダクト構成部６２に形成される壁部６２６と係合する。
【００５０】
〔第２固定枠７の第１固定枠６への固定〕
第２固定枠７を第１固定枠６に固定する場合は、第１固定枠６の上方から第２固定枠７を設置する。詳細には、第１固定枠６の突起部６１６に第２固定枠７の係止部７１１２を係止する。併せて、第２固定枠７のダクト部７１２後方向に形成される図示省略する突起部に、第１固定枠６の図示省略する係止部を係止する。また、図７に示すように、第２固定枠７に形成される固定部７１１１を、第１固定枠６の一方の延出部６１３の上面に当接させて重ねた状態とし、第２ネジＳＣ２を孔部７１１１ａと孔部６１４に挿通し、下ケース２１にネジ締めする。なお、下ケース２１へのネジ締めは、冷却機構４として下ケース２１に固定する際に併せて行う。
【００５１】
〔冷却機構４の下ケース２１への固定〕
ダクト構成部６２には、下ケース２１に固定するための４つの固定部６２５が孔部６２５ａ（図６、図７）を有して形成されている。また、下ケース２１には、図３に示すように、この固定部６２５に対応して、４つの固定部２２５が突出して形成されている。また、板状部６１の２つの延出部６１３に形成される孔部６１４に対応して、突出する２つの固定部２２４が形成されている。
【００５２】
冷却機構４を下ケース２１に固定する際には、ダクト構成部６２の固定部６２５を下ケース２１の固定部２２５に当接させ、また、板状部６１の延出部６１３を下ケース２１の固定部２２４に当接させる。次に、固定部６２５の孔部６２５ａからネジＳＣ３を挿通して、下ケース２１の固定部２２５のネジ孔２２５ａに螺合させる。
【００５３】
また、延出部６１３の上部には、上述した第２固定枠７の固定部７１１１が重なっており、固定部７１１１の孔部７１１１ａから第２ネジＳＣ２を挿通し、延出部６１３の孔部６１４にも挿通した後、下ケース２１の固定部２２４のネジ孔２２４ａに螺合させる。これにより、冷却機構４を下ケース２１に固定することができる。
【００５４】
冷却機構４を下ケース２１に固定することにより、各ダクトが完成する。本実施形態では、上述したように、第１ダクト６２１、第２ダクト６２２、第３ダクト６２３が完成する。
【００５５】
〔第４ダクト７１の詳細と外気の流動〕
冷却機構４を下ケース２１に固定することにより、第４ダクト７１は、第２固定枠７のダクト部７１２と、第１固定枠６の壁部６２６および面部６２７とで囲まれた空間がダクトとして形成される。そして、冷却ファン５が駆動した場合、この空間に、外気導入口２５、フィルター２６を介した外気が流入する。
【００５６】
また、第４ダクト７１は、ダクト部７１２とカバー部７１１との接続部分を含め、板状部６１の内面およびカバー部７１１の内面と、冷却ファン５と、下ケース２１のサブダクト構成部２２とに囲まれた空間がダクトとして形成される。流入した外気は、この空間を流動して、冷却ファン５のサブの吸気口５３を介して冷却ファン５内部に流入する。
【００５７】
〔冷却機構４（ダクト構成部６２）における外気の流動〕
冷却機構４は、冷却ファン５が駆動することにより、外気導入口２５、フィルター２６を介して外気をメインの吸気口５２から冷却ファン５内部に流入させる。流入した外気は、吐出口５４から吐出され、ダクト構成部６２の導入口６２０を介してダクト構成部６２内部に流入する。なお、第４ダクト７１内部を流動してサブの吸気口５３から冷却ファン５内部に流入した外気も、同様に、吐出口５４から吐出されてダクト構成部６２内部に流入する。
【００５８】
ダクト構成部６２の内部に流入した外気は、隔壁６２４により、各ダクト６２１，６２２，６２３に分岐されて流動する。第１ダクト６２１を流動する外気は、途中で２つのダクト６２１１，６２１２に分岐されて流動する。
【００５９】
そして、ダクト６２１１を流動する外気は、吐出口６２１１ａから上方向に吐出される。なお、吐出口６２１１ａは、光学ユニット３の光学装置３５を構成する緑色光用の液晶パネル３５１Ｇおよび緑色光用の射出側偏光板３５３の下方向に位置している。そのため、吐出口６２１１ａから上方向に吐出した外気は、緑色光用の液晶パネル３５１Ｇ、緑色光用の射出側偏光板３５３に下方向から吹き付ける状態となる。これにより、発熱する緑色光用の液晶パネル３５１Ｇ、緑色光用の射出側偏光板３５３の熱を奪う。
【００６０】
また、ダクト６２１２を流動する外気は、分岐された直後に吐出口６２１２ａから一部の外気が上方向に吐出する。また、残りの外気は、ダクト６２１２を流動し、吐出口６２１２ｂから上方向に吐出する。なお、吐出口６２１２ａは、光学ユニット３の光学装置３５を構成する赤色光用の液晶パネル３５１Ｒおよび赤色光用の射出側偏光板３５３の下方向に位置している。そのため、吐出口６２１２ａから上方向に吐出した外気は、赤色光用の液晶パネル３５１Ｒ、赤色光用の射出側偏光板３５３に下方向から吹き付ける状態となる。これにより、発熱する赤色光用の液晶パネル３５１Ｒ、赤色光用の射出側偏光板３５３の熱を奪う。
【００６１】
また、吐出口６２１２ｂは、光学ユニット３の光学装置３５を構成する青色光用の液晶パネル３５１Ｂおよび青色光用の射出側偏光板３５３の下方向に位置している。そのため、吐出口６２１２ｂから上方向に吐出した外気は、青色光用の液晶パネル３５１Ｂ、青色光用の射出側偏光板３５３に下方向から吹き付ける状態となる。これにより、発熱する青色光用の液晶パネル３５１Ｂ、青色光用の射出側偏光板３５３の熱を奪う。
【００６２】
第２ダクト６２２を流動する外気は、吐出口６２２ａから上方向に吐出される。なお、吐出口６２２ａは、光学ユニット３の照明光学装置３２を構成する偏光変換素子３２３の下方向に位置している。そのため、吐出口６２２ａから上方向に吐出した外気は、偏光変換素子３２３に下方向から吹き付ける状態となる。これにより、発熱する偏光変換素子３２３の熱を奪う。
【００６３】
第３ダクト６２３を流動する外気は、段差をつけた２つの吐出口６２３ａから水平方向（左方向に）に吐出される。なお、吐出口６２３ａは、光源装置３１の右側面に位置している。そのため、吐出口６２３ａから左方向に吐出した外気は、光源装置３１の右方向から吹き付け、光源装置３１の内部を流動する状態となる。これにより、発熱する光源装置３１の熱を奪う。
【００６４】
なお、各光学部品を冷却して温まった空気（外気）は、上述したように、図示省略する排気用のファンにより、外装筐体２の外部に排気口（図示省略）を介して排気される。
冷却機構４の以上の動作により、発熱する所定の光学部品を冷却することができる。
【００６５】
〔固定された板状部６１の状態〕
冷却機構４を下ケース２１に固定した状態において、板状部６１は、冷却ファン５を固定し、延出部６１３が第２ネジＳＣ２により下ケース２１に固定される状態となる。言い換えると、板状部６１の一端部６１１が下ケース２１に固定される状態となる。なお、他端部６１７は、第２固定枠７のカバー部７１１とは係合せず左右方向に移動可能な状態（言い換えると解放された状態）となる。従って、板状部６１は、いわゆる片持ち梁の状態となっている。
【００６６】
〔プロジェクター１が落下した際の板状部６１の動作〕
冷却機構４を下ケース２１に固定する組み立てを含め、プロジェクター１が組み立てられた状態（プロジェクター１の完成体）で、プロジェクター１を所定の方向で、落下させた場合の板状部６１の動作を説明する。
【００６７】
本実施形態でのプロジェクター１の落下方向（衝撃が加えられる方向）は、所定の方向として、板状部６１の面に略垂直となる方向にプロジェクター１を落下させるものとする。言い換えると、冷却ファン５の回転中心軸Ａを上下方向（鉛直方向）として、冷却ファン５の吸気口５２が下方向（プロジェクター１（外装筐体２）の右側面が下方向）となる落下を行う。すなわち、本実施形態における所定の落下方向とは、冷却ファン５の回転中心軸Ａの略延出方向、及び板状部６１の面に略垂直となる方向となる。このような方向で落下を行った場合、延出部６１３（一端部６１１）が第２ネジＳＣ２により固定されると共に、冷却ファン５を固定した板状部６１は、落下方向に撓むことにより、冷却ファン５への衝撃を低減させる。そして、落下後には、板状部６１の有する可撓性により、元の位置に戻ることができる。
【００６８】
本実施形態のプロジェクター１によれば、以下の効果が得られる。
【００６９】
本実施形態の電子機器としてのプロジェクター１は、冷却ファン５を固定した板状部６１を、概ね片持ち梁の構造とすることができ、所定の落下方向（衝撃が加えられる方向）として板状部６１対して略垂直方向となる落下方向で落下した場合、板状部６１が落下方向に撓むことにより、落下による冷却ファン５への衝撃を吸収させることができる。これにより、冷却ファン５を備えたプロジェクター１において、落下の衝撃による冷却ファン５への影響を低減させたプロジェクター１を実現することができる。
【００７０】
本実施形態の冷却ファン５は、回転中心軸Ａに対して略平行な方向に挿通される第１ネジＳＣ１により板状部６１に固定されている。これにより、落下衝撃が直接的に板状部６１へ伝搬され、板状部６１が衝撃で搖動することにより、落下の衝撃による冷却ファン５への影響を低減させることができる。
【００７１】
本実施形態のプロジェクター１は、延出部６１３の複数の孔部６１４が、板状部６１の一端部６１１に沿うように設置されることにより、板状部６１が更に撓みやすくなり、落下の衝撃を吸収しやすくなることで、衝撃による冷却ファン５への影響を更に低減させることができる。
【００７２】
本実施形態のプロジェクター１は、固定枠（第１固定枠６）がダクト（第１ダクト６２１、第２ダクト６２２、第３ダクト６２３）の一部を構成することにより、冷却ファン５が吸気した空気を流動して、発熱する部品を冷却させることができる。
【００７３】
なお、上述した実施形態に限定されず、その要旨を逸脱しない範囲において種々の変更や改良などを加えて実施することが可能である。変形例を以下に述べる。
【００７４】
前記実施形態では、電子機器としてのプロジェクター１に本発明を適用しているが、これに限られず、プロジェクター１以外の、冷却ファンを備えた電子機器に対しても本発明を適用することができる。
【００７５】
前記実施形態では、使用するシロッコファン（冷却ファン５）が、サブの吸気口（吸気口５３）からの吸気を必要とする仕様のため、第２固定枠７を用いているが、サブの吸気口を必要としない仕様の場合には、第２固定枠を用いなくてもよい。
【００７６】
前記実施形態では、冷却ファン５の吸気口５２が、プロジェクター１（下ケース２１）の右前方向のコーナー部に設置されるとしたが、吸気口５２が別の位置に設置されてもよい。言い換えると、例えば、吸気口５２が下ケース２１の下方向側に設置され、冷却ファン５の回転中心軸Ａの方向が、プロジェクター１を机上に設置した姿勢での上下方向と略一致するように構成してもよい。
【００７７】
前記実施形態の第１固定枠６を構成する板状部６１の形状や、ダクト構成部６２のダクトの数や形状などは適宜変更することができる。
【００７８】
前記実施形態のプロジェクター１は、放電式ランプを用いている。放電式ランプとしては、メタルハライドランプ、高圧水銀ランプ、超高圧水銀ランプ等、高輝度発光する種々のランプを用いることができる。
【００７９】
前記実施形態のプロジェクター１は、光変調装置として液晶パネル３５１を用いている。なお、液晶パネル３５１としては、透過型の液晶パネルや反射型の液晶パネルを用いることができる。
【００８０】
前記実施形態のプロジェクター１は、液晶パネル３５１を光変調装置として用いている。しかし、これに限られず、マイクロミラー型の光変調装置等、液晶パネルとは異なる他の方式の光変調装置を用いることができる。なお、マイクロミラー型の光変調装置としては、例えば、ＤＭＤ（Digital Micromirror Device）を用いることができる。
【符号の説明】
【００８１】
１…プロジェクター（電子機器）、２…外装筐体、５…冷却ファン、６…第１固定枠（固定枠）、３１…光源装置、３６…投写レンズ、３５１…液晶パネル（光変調装置）、６１…板状部、６１１…一端部、６１７…他端部、６１３…延出部、６１４…孔部、６２１…第１ダクト、６２２…第２ダクト、６２３…第３ダクト、７１…第４ダクト（ダクト）、Ａ…回転中心軸、ＳＣ１…第１ネジ、ＳＣ２…第２ネジ。
【図１】
2016095356.tif 000003
【図２】
2016095356.tif 000004
【図３】
2016095356.tif 000005
【図４】
2016095356.tif 000006
【図５】
2016095356.tif 000007
【図６】
2016095356.tif 000008
【図７】
2016095356.tif 000009